(57)【特許請求の範囲】
【請求項１】
構造物の貼着面に、連続した強化繊維を一方向に配列した一方向配列強化繊維シートを少なくとも1枚は含む細長形状の強化繊維シート補強材を複数枚樹脂で接着することにより構造物を補強する補強方法において、
（ａ）前記構造物の貼着面に、ｎ枚（ｎ：２以上の整数）の強化繊維シート補強材を前記構造物の貼着面から外側へと重ねて積層して、樹脂にて接着し、
（ｂ）前記各層の強化繊維シート補強材の長手方向両端部を各々、前記強化繊維シート補強材の長手方向に直交して前記強化繊維シート補強材の幅方向に配置された棒状定着体に巻き付けて、樹脂で接着し、
（ｃ）前記棒状定着体は、前記構造物の貼着面に貼付した最内層の第１層目の強化繊維シート補強材から最外層に貼付したｎ層目の強化繊維シート補強材へと、順次内方に位置して、前記一方向配列強化繊維シートの前記強化繊維の長さ方向に対して直交するようにして前記構造体に取り付けられる固定具により前記構造物に固着される、
ことを特徴とする構造物の補強方法。
【請求項２】
構造物の貼着面に、連続した強化繊維を一方向に配列した一方向配列強化繊維シートを少なくとも1枚は含む細長形状の強化繊維シート補強材を複数枚樹脂で接着することにより構造物を補強する補強方法において、
（ａ）前記構造物の貼着面に第１層目の強化繊維シート補強材を樹脂にて接着する工程、
（ｂ）前記第１層目の強化繊維シート補強材の長手方向両端部を各々、前記第１層目の強化繊維シート補強材の長手方向に直交して前記強化繊維シート補強材の幅方向に配置された第１の棒状定着体に巻き付け、樹脂で接着する工程、
（ｃ）前記第１の棒状定着体を、前記一方向配列強化繊維シートの前記強化繊維の長さ方向に対して直交するようにして前記構造体に取り付けられる固定具により前記構造物に固着する工程、
（ｄ）前記構造物の貼着面に接着された前記第１層目の強化繊維シート補強材に積層して第２層目の強化繊維シート補強材を貼付する工程、
（ｅ）前記第１層目の強化繊維シート補強材の両端部を定着する二つの前記第１の棒状定着体より内方の領域にて、前記第２層目の強化繊維シート補強材の長手方向両端部を各々、前記第２層目の強化繊維シート補強材の長手方向に直交して前記強化繊維シート補強材の幅方向に配置された第２の棒状定着体に巻き付け、樹脂で接着する工程、
（ｆ）前記第２の棒状定着体を、前記一方向配列強化繊維シートの前記強化繊維の長さ方向に対して直交するようにして前記構造体に取り付けられる固定具により前記構造物に固着する工程、
を少なくとも有することを特徴とする構造物の補強方法。
【請求項３】
前記棒状定着体は、強化繊維シート補強材が存在しない領域にて前記構造物に固定具にて固着されることを特徴とする請求項１又は２に記載の構造物の補強方法。
【請求項４】
前記棒状定着体は、強化繊維シート補強材の長手方向に直交した長手方向軸線を有した細長部材であって、横断面形状が、円形、楕円形、長円形、或いは、隅角部が円弧状とされた多角形とされることを特徴とする請求項１〜３のいずれかの項に記載の構造物の補強方法。
【請求項５】
前記強化繊維シート補強材は、強化繊維で形成したシート状織物を含むことを特徴とする請求項１〜４のいずれかの項に記載の構造物の補強方法。
【請求項６】
前記強化繊維は、ＰＡＮ系或いはピッチ系炭素繊維；ボロン繊維、チタン繊維、スチール繊維などの金属繊維；アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用されることを特徴とする請求項１〜５のいずれかの項に記載の構造物の補強方法。
【請求項７】
前記樹脂は、常温硬化型或は熱硬化型のエポキシ樹脂、ビニールエステル樹脂、ＭＭＡ樹脂、不飽和ポリエステル樹脂、又はフェノール樹脂であることを特徴とする請求項１〜６のいずれかの項に記載の構造物の補強方法。
【請求項８】
前記強化繊維シート補強材は、前記構造物に貼着する前においては、樹脂未含浸シートであるか、又は、樹脂が含浸された半硬化状態のプリプレグシートであることを特徴とする請求項１〜７のいずれかの項に記載の構造物の補強方法。
【請求項９】
前記構造物は、コンクリート構造物或いは鋼構造物であることを特徴とする請求項１〜８のいずれかの項に記載の構造物の補強方法。
【発明の詳細な説明】
【技術分野】
【０００１】
本発明は、強化繊維シート補強材を使用して土木建築構造物等であるコンクリート構造物、或いは、鋼構造物（本願明細書では、コンクリート構造物及び鋼構造物を含めて単に「構造物」という。）の曲げに対する補強を行う補強方法に関するものであり、特に、構造物に接着された強化繊維シート補強材の端部の定着方法に特徴を有する構造物の補強方法に関するものである。
【背景技術】
【０００２】
構造物の補強方法として、近年、既存或いは新設の構造物の表面に強化繊維シート補強材として１枚或いは複数枚の連続強化繊維シートを貼り付ける接着工法が開発されている。
【０００３】
例えば、コンクリート構造物に強化繊維シート補強材を接着させ補強する場合には、設計上補強が必要な範囲から強化繊維シート補強材の定着長を考慮して貼り付ける必要がある。
【０００４】
しかしながら、定着長を確保できない場合は、強化繊維シート補強材の端部を鋼材で圧着し、鋼材をアンカーでコンクリート構造物に定着することが行われている。図１４に、現在行われているコンクリート梁１００を強化繊維シート補強材１０にて曲げ補強する場合の、強化繊維シート補強材１０の定着方法の一例を示す。
【０００５】
図１４の構成では、コンクリート梁１００の長手方向に沿って、梁１００の下面１０１に強化繊維シート補強材１０が貼り付けられている。強化繊維シート補強材１０は、その幅方向端部に、梁１００の長手方向に沿って延在する平らな鋼板１１０を配置し、アンカー１１１のような固定具にてコンクリート梁１００に定着している。このように一箇所で定着するのでアンカー１１１のためのアンカー孔１１２が多数必要となる。
【０００６】
また、特許文献１に記載するように、図１５に示す構成では、コンクリート梁１００の長手方向に沿って、梁１００の下面１０１及び両側面１０２に強化繊維シート補強材１０が貼り付けられている。また、強化繊維シート補強材１０の幅方向端部は、梁１００の長手方向に沿って設けられた円柱形の定着体１１３に巻き付けられ、この定着体１１３をアンカー１１１にてコンクリート梁１００の天井部１０３に定着している。
【０００７】
しかしながら、本例は、コンクリート梁１００の剪断補強をなす場合の補強方法であって、強化繊維シート補強材１０における強化繊維２は、梁１００の下面１０１及び両側面１０２に延在したＵ字状にされて、梁１００の長手方向に沿って配列して設けられている。従って、強化繊維シート補強材１０の端部は、定着体１１３を用いて、アンカー１１１にてコンクリート梁１００の天井部１０３に固着することが必須である。
【０００８】
もし、強化繊維シート補強材１０の積層数、即ち、強化繊維シート１の枚数が増えた場合には、円柱形定着体１１３を大きくし、且つ、定着体１１３を固着するためのアンカー孔１１２を大きく且つ深くし、アンカー１１１による定着体１１３の固着力を増大させることが必要となる。このように、アンカー孔１１２を大きく、且つ、深くすることは、コンクリート構造物の破壊を招くといった虞が生じてくる。
【特許文献１】特開平１０−２９８９３０号公報
【発明の開示】
【発明が解決しようとする課題】
【０００９】
本発明者らの研究実験の結果によれば、強化繊維シート補強材による接着工法において、特に、同じ寸法の複数枚の強化繊維シート補強材をコンクリート構造物表面に積層して接着した場合において、上記定着方法を採用した場合には、次のような問題が発生することが分かった。
（１）強化繊維シート補強材を複数枚積層して接着した場合、同一位置で各層を接着することとなるが、設計上必要な定着長を確保できない場合は、強化繊維シート補強材にかかる引張力を固定具、例えば、アンカーの剪断耐力或いは鋼板の圧着による付着力との和で負担することになる。そのために、アンカーが多数必要となる。また、鋼板の面積が大きくなる。
（２）アンカーが同一定着位置で多数になる場合は、既設コンクリートの鉄筋の配置状況により、アンカー孔の削孔が容易に行えない可能性がある。
（３）高架橋などのコンクリート構造物では、仮設の足場での作業が主であるため、定着体としての鋼板の面積が大きくなった場合は、鋼板が非常に重く施工上困難となる場合が生じる。
（４）強化繊維シート補強材の使用枚数が増え、定着体を大きくする必要が生じた場合には、定着体固着のためのアンカー孔を深くし、又、大きくして、その固着力を増大させることが必要となり、そのために、コンクリート構造物を破壊する虞が生じてくる。
【００１０】
従って、本発明の目的は、鋼材料の使用を軽減し、軽量な構造にて強化繊維シート補強材の定着を可能とすることにより、施工を容易とすることのできる、コンクリート構造物或いは鋼構造物のような構造物の補強方法を提供することである。
【００１１】
本発明の他の目的は、複数枚の強化繊維シート補強材を分けて定着することにより、定着に用いる固定具の位置を分散させ、固定具用削孔位置の自由度があり、施工を容易とすることのできる、コンクリート構造物或いは鋼構造物のような構造物の補強方法を提供することである。
【００１２】
本発明の他の目的は、強化繊維シート補強材の断面を欠損することのない、コンクリート構造物或いは鋼構造物のような構造物の補強方法を提供することである。
【００１３】
本発明の他の目的は、積層された複数枚の強化繊維シート補強材を使用し、曲げを受ける部材では、曲げモーメント分布に合わせて強化繊維シート補強材が必要でなくなった断面での１層毎或いは複数層毎の定着を行うことができ、効率の良い補強を達成することのできる、コンクリート構造物或いは鋼構造物のような構造物の補強方法を提供することである。
【課題を解決するための手段】
【００１４】
上記目的は本発明に係るコンクリート構造物或いは鋼構造物のような構造物の補強方法にて達成される。要約すれば、本発明の第１の態様によれば、
構造物の貼着面に、連続した強化繊維を一方向に配列した一方向配列強化繊維シートを少なくとも1枚は含む細長形状の強化繊維シート補強材を複数枚樹脂で接着することにより構造物を補強する補強方法において、
（ａ）前記構造物の貼着面に、ｎ枚（ｎ：２以上の整数）の強化繊維シート補強材を前記構造物の貼着面から外側へと重ねて積層して、樹脂にて接着し、
（ｂ）前記各層の強化繊維シート補強材の長手方向両端部を各々、前記強化繊維シート補強材の長手方向に直交して前記強化繊維シート補強材の幅方向に配置された棒状定着体に巻き付けて、樹脂で接着し、
（ｃ）前記棒状定着体は、前記構造物の貼着面に貼付した最内層の第１層目の強化繊維シート補強材から最外層に貼付したｎ層目の強化繊維シート補強材へと、順次内方に位置して、前記一方向配列強化繊維シートの前記強化繊維の長さ方向に対して直交するようにして前記構造体に取り付けられる固定具により前記構造物に固着される、
ことを特徴とする構造物の補強方法が提供される。
【００１５】
本発明の第２の態様によれば、
構造物の貼着面に、連続した強化繊維を一方向に配列した一方向配列強化繊維シートを少なくとも1枚は含む細長形状の強化繊維シート補強材を複数枚樹脂で接着することにより構造物を補強する補強方法において、
（ａ）前記構造物の貼着面に第１層目の強化繊維シート補強材を樹脂にて接着する工程、
（ｂ）前記第１層目の強化繊維シート補強材の長手方向両端部を各々、前記第１層目の強化繊維シート補強材の長手方向に直交して前記強化繊維シート補強材の幅方向に配置された第１の棒状定着体に巻き付け、樹脂で接着する工程、
（ｃ）前記第１の棒状定着体を、前記一方向配列強化繊維シートの前記強化繊維の長さ方向に対して直交するようにして前記構造体に取り付けられる固定具により前記構造物に固着する工程、
（ｄ）前記構造物の貼着面に接着された前記第１層目の強化繊維シート補強材に積層して第２層目の強化繊維シート補強材を貼付する工程、
（ｅ）前記第１層目の強化繊維シート補強材の両端部を定着する二つの前記第１の棒状定着体より内方の領域にて、前記第２層目の強化繊維シート補強材の長手方向両端部を各々、前記第２層目の強化繊維シート補強材の長手方向に直交して前記強化繊維シート補強材の幅方向に配置された第２の棒状定着体に巻き付け、樹脂で接着する工程、
（ｆ）前記第２の棒状定着体を、前記一方向配列強化繊維シートの前記強化繊維の長さ方向に対して直交するようにして前記構造体に取り付けられる固定具により前記構造物に固着する工程、
を少なくとも有することを特徴とする構造物の補強方法が提供される。
【００１８】
上記本発明にて一実施態様によれば、前記棒状定着体は、前記強化繊維シートが存在しない領域にて前記構造物に固定具にて固着される。
【００１９】
本発明の他の実施態様によれば、前記棒状定着体は、強化繊維シート補強材の長手方向に直交した長手方向軸線を有した細長部材であって、横断面形状が、円形、楕円形、長円形、或いは、隅角部が円弧状とされた多角形とされる。
【００２０】
本発明の他の実施態様によれば、前記強化繊維シート補強材は、強化繊維で形成したシート状織物を含むことができる。
【００２１】
本発明の他の実施態様によれば、前記強化繊維は、ＰＡＮ系或いはピッチ系炭素繊維；ボロン繊維、チタン繊維、スチール繊維などの金属繊維；アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用される。
【００２２】
本発明の他の実施態様によれば、前記樹脂は、常温硬化型或は熱硬化型のエポキシ樹脂、ビニールエステル樹脂、ＭＭＡ樹脂、不飽和ポリエステル樹脂、又はフェノール樹脂である。
【００２３】
本発明の他の実施態様によれば、前記強化繊維シート補強材は、前記構造体に貼着する前においては、樹脂未含浸シートであるか、又は、樹脂が含浸された半硬化状態のプリプレグシートである。
【００２４】
本発明の他の実施態様によれば、前記構造物は、コンクリート構造物或いは鋼構造物である。
【発明の効果】
【００２５】
本発明によれば、
（１）定着体１個当たりの鋼材量の使用を軽減し、軽量な構造にて強化繊維シート補強材の定着を可能とすることにより、施工を容易とすることができる。
（２）複数枚の強化繊維シート補強材を分けて定着することにより、定着に用いる固定具の位置を分散させ、固定具用削孔位置の自由度があり、施工を容易とすることができる。
（３）固定具の取付を変えることによって、強化繊維シート補強材の断面を欠損することのない、コンクリート構造物或いは鋼構造物のような構造物の補強方法を提供することができる。
（４）積層された複数枚の強化繊維シート補強材を使用し、曲げを受ける部材では、曲げモーメント分布に合わせて強化繊維シート補強材が必要でなくなった断面での１層毎或いは複数層毎の定着を行うことができ、効率の良い補強を達成することができる。
【発明を実施するための最良の形態】
【００２６】
以下、本発明に係るコンクリート構造物或いは鋼構造物のような構造物の補強方法を図面に則して更に詳しく説明する。
【００２７】
実施例１
本発明の構造物の補強方法は、梁又は桁部材、更には、壁、柱部材、床版などのスラブ部材など、建築或いは土木構造物などであるコンクリート構造物或いは鋼構造物の補強、特に曲げ補強に際して広く適用し得るが、本実施例では、コンクリート梁の曲げ補強に適用した場合について説明する。
【００２８】
本発明は、構造物の貼着面に細長形状の強化繊維シート補強材を複数枚樹脂で接着することにより構造物を補強する補強方法に関するものであるが、図１２に、本発明にて使用する強化繊維シート補強材１０を構成する強化繊維シート１の一実施例を示す。
【００２９】
強化繊維シート１は、連続した強化繊維２を一様に引き揃え、一方向に配列した、所定の単位重量を有するものである。強化繊維シート１は、長さ（Ｌ０）が幅（Ｗ０）より大きくされた、即ち、本実施例では、繊維長さ方向に沿った長さ（Ｌ０）が、繊維長さ方向に対して直交する幅（Ｗ０）より大きくされた、所謂、細長形状とされる。強化繊維シート１の長さ（Ｌ０）及び幅（Ｗ０）は、補強される構造物の寸法、形状に応じて適宜決定される。
【００３０】
強化繊維２としては、ＰＡＮ系或いはピッチ系炭素繊維；ボロン繊維、チタン繊維、スチール繊維などの金属繊維；更には、アラミド、ＰＢＯ（ポリパラフェニレンベンズビスオキサゾール）、ポリアミド、ポリアリレート、ポリエステルなどの有機繊維；が単独で、又は、複数種混入してハイブリッドにて使用することができる。
【００３１】
又、強化繊維シート１は、取り扱いを容易とするために、図１２に示すように、強化繊維２を一方向に配列した強化繊維層４の片面、或いは、両面を、例えば直径２〜５０μｍのガラス繊維或いは有機繊維にて作製したメッシュ状の支持体シート３により支持した構成とすることもできる。
【００３２】
メッシュ状支持体シート３にて強化繊維層４を保持する方法としては、例えば、メッシュ状支持体シート３を構成する縦糸６及び横糸７の表面に低融点タイプの熱可塑性樹脂を予め含浸させておき、メッシュ状支持体シート３を強化繊維層４の両面に積層して加熱加圧し、メッシュ状支持体シート３の縦糸６及び横糸７の部分を強化繊維層４に溶着する。
【００３３】
別法として、図１３に示すように、強化繊維シート１は、一方向に配列された強化繊維２に対して直交して、繊維２のバラケ止めとして繊維５を横糸として一定の間隔にて打ち込み、所謂、織物（クロス）のような構造のシートとすることも可能である。繊維５としては、上述と同様に、例えば直径２〜５０μｍのガラス繊維或は有機繊維が使用可能であるが、ガラス繊維を芯部に有し、低融点の熱融着性ポリエステルをその周囲に配したような二重構造の複合繊維は、繊維束のバラケ防止効果が大きく、好ましく用いられる。この方法での、横糸の打ち込み間隔（ｐ）に特に制限はないが、作製されたシートの取り扱い性を考慮して、通常１〜１５ｍｍ間隔の範囲で選定される。
【００３４】
更に、図示してはいないが、強化繊維シート１は、強化繊維２を使用して織成された、繊維の主軸が２軸、３軸、４軸とされるシート状の織物とすることができる。例えば、織物としては、強化繊維２を二方向に配向させた平織物、綾織物、朱子織物や、強化繊維２を三方向、四方向に配向させた３軸、４軸織物などを使用することができる。
【００３５】
また、強化繊維シート補強材１０は、１枚の強化繊維シート１で構成することもでき、又は、同じ構成の、或いは、異なる構成の複数枚の強化繊維シート１を積層して構成しても良い。
【００３６】
本発明の補強方法を実施する際に強化繊維シート補強材１０に含浸されるマトリクス樹脂（即ち、接着剤）は、熱硬化性樹脂とすることができ、熱硬化性樹脂としては、常温硬化型或は熱硬化型のエポキシ樹脂、ビニールエステル樹脂、ＭＭＡ樹脂、不飽和ポリエステル樹脂、又はフェノール樹脂を好適に使用し得る。又、樹脂含浸量、即ち、樹脂の強化繊維シート補強材１０に対する塗布量は、強化繊維シート補強材１０の繊維目付が１５０〜６００ｇ／ｍ2の範囲では、標準塗布量として０．６〜１．２ｋｇ／ｍ2とされる。
【００３７】
本発明の補強方法の一実施例について説明する。本実施例ではコンクリート梁１００を曲げ補強するものとする。
【００３８】
尚、本実施例では、強化繊維シート１は、繊維径７〜１０μｍ程度のモノフィラメントを、例えば、約６０００〜２４０００本収束した繊維束、即ち、炭素繊維２を使用し、この炭素繊維を均一に引き揃え、一方向に配列した炭素繊維シートであった。炭素繊維シートの厚さは０．０８３〜０．３３３ｍｍ（繊維目付１５０〜６００ｇ／ｍ2）であった。また、樹脂としてはエポキシ樹脂を使用した。
【００３９】
本実施例に従って強化繊維シート補強材１０による接着工法を実施するに際し、先ず、図１（ａ）〜図１（ｅ）に示すように、強化繊維シート１が１枚、或いは、複数枚積層されて構成される強化繊維シート補強材１０が複数枚、本実施例では、第１及び第２の強化繊維シート補強材１０ａ１、１０ａ２の２枚が準備される。
【００４０】
尚、上記強化繊維シート補強材１０は、構造物１００の貼着面１０１に貼着されるが、本明細書にて、「内側」とは、コンクリート梁１００のような構造物のシート貼着面１０１側を意味し、「外側」とはこのシート貼着面１０１より離れる方向を意味する。又、強化繊維シート補強材１０がシート貼着面１０１に接着され補強に供される際の、強化繊維シート補強材１０の両端部から中央部に向かう方向を「内方」とし、その両端部側を「外方」と呼ぶ。
【００４１】
本実施例では、図１及び図２に示すように、コンクリート梁１００のシート貼着面１０１には、内側層の第１層目を形成する第１の強化繊維シート補強材１０ａ１と、その上に積層される外側層の第２層目を形成する第２の強化繊維シート補強材１０ａ２とが貼着されるものとして説明する。しかし、本発明はこれに限定されるものではない。即ち、補強に使用する強化繊維シート補強材１０は、３枚以上積層することも可能である。
【００４２】
また、上述のように、強化繊維シート補強材１０（１０ａ１、１０ａ２）は、各々、強化繊維シート１が１枚で構成することもでき、又は、同じ構成の、或いは、異なる構成の複数枚の強化繊維シート１を積層して構成しても良い。
【００４３】
本実施例によれば、図１（ａ）及び図１（ｂ）に示すように、準備された第１の強化繊維シート補強材１０ａ１を、接着剤が下塗りされたコンクリート梁シート貼着面１０１に貼り付ける。次いで、脱泡ローラ３０を使用して脱泡・含浸させる。更に、必要に応じて、強化繊維シート補強材１０ａ１に接着剤、即ち、マトリクス樹脂を塗布（上塗り）し、強化繊維シート補強材１０ａ１にマトリクス樹脂を十分に含浸させ、強化繊維シート補強材１０ａ１をコンクリート梁シート貼着面１０１に接着する。
【００４４】
次に、図１（ｃ）及び図２（ａ）、（ｂ）、（ｃ）を参照して、強化繊維シート補強材１０ａ１の定着方法について説明する。
【００４５】
図２（ａ）、（ｂ）、（ｃ）には、コンクリート梁１００及び強化繊維シート補強材１０ａの一方端部（即ち、図面上左側端部）のみを示すが、同様の構成がコンクリート梁１００及び強化繊維シート補強材１０ａ１の他方端部にも適用される。
【００４６】
先ず、図１（ｃ）及び図２（ａ）、（ｂ）、（ｃ）に示すように、強化繊維シート補強材１０ａ１の端部を第１の定着体２０ａ１に１回又は複数回巻き付ける。
【００４７】
定着体２０ａ１は、軸線方向に延在する部材であって、軸線方向の長さ（Ｌｘ）（図２（ｂ）参照）は、第１の強化繊維シート補強材１０ａ１の幅（Ｗ０）と同じか、或いは幾分大きくされている。
【００４８】
また、定着体２０ａ１は、本実施例では断面形状が円形とされる円柱形とされるが、これに限定されるものではない。定着体２０ａ１は、強化繊維シート補強材１０ａ１を巻き付けられる構造であれば、任意の形状とすることができる。例えば、図３（ａ）〜（ｆ）に示すように、断面形状が円形状とされる定着体（図３（ａ））のほかに、正方形（図３（ｂ））、３角形（図３（ｃ））、長方形（図３（ｄ））、などとされる隅角部が円弧状とされた多角形の定着体、また、断面形状が長円形（トラック形）のもの（図３（ｅ））、断面形状が楕円形などとされる周面が曲面とされる定着体（図３（ｆ））、など種々の断面形状をした柱状体であるか、或いは、図示してはいないが中空形状の円筒体とされる棒状の定着体２０を使用することができる。
【００４９】
第１の強化繊維シート補強材１０ａ１は、既にマトリクス樹脂が含浸されており、従って、定着体周面に樹脂にて接着される。必要に応じて、定着体周面に、更に樹脂（接着剤）を塗布しても良い。
【００５０】
次に、強化繊維シート補強材１０ａ１が巻き付けられた定着体２０ａ１は、図２（ｃ）に最も分かり易く図示されるように、円柱状定着体２０ａ１の直径方向に形成された貫通穴２１ａ１を利用して、固定具、例えばアンカー２２ａ１によりコンクリート構造物１００に取り付けられる。このとき、定着体２０ａ１により、強化繊維シート補強材１０ａ１をコンクリート構造物表面１０１に圧着することは必須ではない。又、この状態で、樹脂が硬化されると、第１の強化繊維シート補強材１０ａ１がコンクリート構造物１００に定着されることとなる。
【００５１】
次に、図１（ｄ）に示すように、上述の様にしてコンクリート構造物１００の表面に貼着され、そして、端部が定着された第１の強化繊維シート補強材１０ａ１が硬化した後に、或いは、未だ未硬化状態において、この第１の強化繊維シート補強材１０ａ１に積層して、第２の強化繊維シート補強材１０ａ２が樹脂により貼着される。
【００５２】
図１（ｄ）に示すように、本実施例では、第２の強化繊維シート補強材１０ａ２は、第１の強化繊維シート補強材１０ａ１の両端定着部より内方に位置して貼着される。
【００５３】
次いで、図１（ｅ）及び図２（ａ）、（ｂ）、（ｃ）に図示するように、第２の強化繊維シート補強材１０ａ２の両端部は、第１の強化繊維シート補強材１０ａ１と同様にして、その両端部が、第１の定着体２０ａ１より距離Ｐ１だけ内方の位置にて第２の定着体２０ａ２に１回又は複数回巻き付けられる。
【００５４】
第２の強化繊維シート補強材１０ａ２は、既にマトリクス樹脂が含浸されており、第２の定着体周面に樹脂にて接着される。必要に応じて、定着体周面に更に樹脂を塗布しても良い。
【００５５】
次に、強化繊維シート補強材１０ａ２が巻き付けられた定着体２０ａ２は、円柱状定着体２０ａ２の直径方向に形成された貫通穴２１ａ２を利用して、アンカー２２ａ２によりコンクリート構造物１００に取り付けられる。このとき、定着体２０ａ２により、強化繊維シート補強材１０をコンクリート構造物表面１０１に圧着することは必須ではない。又、この状態で、樹脂が硬化され、第２の強化繊維シート補強材１０ａ２がコンクリート構造物１００に定着される。
【００５６】
上記第１及び第２の定着体２０ａ１、２０ａ２は同じ形状寸法とすることもでき、又、異なる形状寸法とすることもできる。
【００５７】
本実施例によれば、上記第１及び第２定着体２０ａ１、２０ａ２を用いて、炭素繊維シート補強材１０（１０ａ１、１０ａ２）がコンクリート構造物１００に定着される。
【００５８】
上記実施例においては、強化繊維シート補強材１０は、第１及び第２の強化繊維シート補強材１０ａ１、１０ａ２にて構成され、第１及び第２の定着体２０ａ１、２０ａ２にてコンクリート構造物１００に定着されるものとして説明したが、本発明はこれに限定されるものではない。
【００５９】
例えば、図４に示すように、強化繊維シート補強材１０が第１、第２及び第３の強化繊維シート補強材１０（１０ａ１、１０ａ２、１０ａ３）にて構成される場合には、第１、第２及び第３の定着体２０ａ１、２０ａ２、２０ａ３にてコンクリート構造物１００に定着することができる。
【００６０】
また、複数枚の強化繊維シート補強材１０（１０ａ１、１０ａ２、１０ａ３）を使用した場合に、各強化繊維シート補強材１０ａ１、１０ａ２、１０ａ３は、必ずしも同じ層数の強化繊維シート１にて構成する必要はなく、従って、この場合には、各定着体２０ａ１、２０ａ２、２０ａ３には、異なる層数の強化繊維シート１を巻き付け、定着されることとなる。
【００６１】
次に、図５を参照して、例えば第１、第２及び第３の定着体２０ａ１、２０ａ２、２０ａ３にて強化繊維シート補強材１０（１０ａ１、１０ａ２、１０ａ３）の端部を定着する場合の、第１、第２及び第３の定着体２０ａ１、２０ａ２、２０ａ３の定着位置と、曲げモーメントとの関係について説明する。
【００６２】
図５の（Ａ）の定着方法は、曲げモーメントに依存して各強化繊維シート補強材１０（１０ａ１、１０ａ２、１０ａ３）の定着位置を決定する場合であって、曲げモーメント分布曲線から、設計上必要とされた各強化繊維シート補強材１０（１０ａ１、１０ａ２、１０ａ３）の定着位置が決定される。
【００６３】
また、この場合には、各強化繊維シート補強材１０（１０ａ１、１０ａ２、１０ａ３）の端部の定着長、即ち、巻き量は、後述するように、数十ｃｍ程度となるように選定される。また、第１、第２及び第３の定着体２０ａ１、２０ａ２、２０ａ３の間の距離Ｐ１、Ｐ２は、数ｍ程度、例えば２ｍ程度の範囲内において自由に選定される。
【００６４】
つまり、上記定着方法によれば、上述のように、曲げを受ける部材の補強に際して、積層された複数枚の強化繊維シート補強材１０を使用し、且つ、各定着体２０の距離Ｐを変更することにより、曲げモーメント分布に合わせて強化繊維シートが必要でなくなった断面での１層毎或いは複数層毎の定着を行うことができ、効率の良い補強を達成することができる。
【００６５】
一方、図５の（Ｂ）の定着方法は、曲げモーメントに依存しないで各強化繊維シート補強材１０（１０ａ１、１０ａ２、１０ａ３）の定着位置を決定する場合であって、曲げモーメント分布曲線から、曲げモーメントがゼロとされる位置よりも外側領域に各強化繊維シート補強材１０（１０ａ１、１０ａ２、１０ａ３）の定着位置が決定される。
【００６６】
この場合には、各強化繊維シート補強材１０（１０ａ１、１０ａ２、１０ａ３）の端部の定着長、即ち、巻き量は、上記の場合と同様に、数十ｃｍ程度となるように選定され、また、第１、第２及び第３の定着体２０ａ１、２０ａ２、２０ａ３の間の距離Ｐ１、Ｐ２は、数十ｃｍ程度でよく、定着体２０ａ１、２０ａ２、２０ａ３が互いに密着していても良い。
【００６７】
この定着方法によれば、各強化繊維シート補強材１０（１０ａ１、１０ａ２、１０ａ３）の端部の定着は、曲げモーメントがゼロの領域にて実施されるので、安全性が大きいという利点がある。ただ、この定着方法は、図５の（Ａ）の定着方法に比較すると、各強化繊維シート補強材１０（１０ａ１、１０ａ２、１０ａ３）は、より長くすることが必要となり、経済性の点では、図５の（Ａ）の定着方法に比較すると劣る。
【００６８】
また、いずれの定着方法を採用した場合においても、本実施例によれば、各強化繊維シート補強材１０（１０ａ１、１０ａ２、１０ａ３）の端部を定着体２０（２０ａ１、２０ａ２、２０ａ３）に巻き付けることで、各強化繊維シート補強材１０（１０ａ１、１０ａ２、１０ａ３）にかかる引張力を負担し、余分に定着長を取らないで済む。従って、また、定着体自体小型化することができ、定着体１個当たりの鋼材量を低減することとなる。
【００６９】
更に、本実施例でによれば、各強化繊維シート補強材１０（１０ａ１、１０ａ２、１０ａ３）は、１層毎に定着するために、アンカー削孔位置の自由度が一箇所で纏めて定着する場合に比べて高くなる。
【００７０】
つまり、既設のコンクリート橋などにおいては、鉄筋が図面通りに配置されていない場合があり、従来のように、一箇所で各強化繊維シート補強材１０を定着することとされる場合には、アンカー削孔が多数となるため、容易に施工できない場合がある。
【００７１】
本発明者らは、定着体２０の形状と、強化繊維シート１の巻き付け回数との関連について検討した。次に、その検討結果について説明する。
【００７２】
（試験１）
図６に、本検討に使用した試験装置２００の概略構成を示す。
【００７３】
図示するように、定着体２０としては、断面が円形とされる長さ（Ｌｘ）が６．８ｃｍの円柱体を使用した。定着体２０は、両端面に一体に形成した取付部２０Ｆを固定治具２０１の上に載置し、取付具２０２にて回転しないようにして固定した。定着体２０の直径（Ｄ）は、下記表１に示すように、２０ｍｍ、４０ｍｍ、６０ｍｍのものを用意した。
【００７４】
強化繊維シート補強材１０としては、図１２に示す構成の、強化繊維として炭素繊維を一方向に引き揃えて作製された炭素繊維シート１を使用した。本検討で使用した炭素繊維シート１は、日鉄コンポジット株式会社製の高強度型の炭素繊維シートＦＴＳ−Ｃ１−３０（公称引張強度３４００Ｎ／ｍｍ2）を用いた。炭素繊維シート１の幅（Ｗ０）は、１２．５ｍｍであった。
【００７５】
炭素繊維シート１は、その一方の端部を、図示するように、円形断面を有する定着体２０に巻き付け、定着体２０の周面にエポキシ樹脂で固定した。
【００７６】
一方、炭素繊維シート１の他方の端部（タブ付け部）１Ｆは、定着体２０から上方へと垂直に持ち上げ、引張試験装置（図示せず）に取り付けた。炭素繊維シート１の上端タブ付け部１Ｆの長さ（Ｌ１）は６０ｍｍ、タブ付け部１Ｆから定着体２０に対する巻き付け開始部までの長さ（Ｌ２）は２５０ｍｍであった。
【００７７】
実験変数は、定着体２０の円柱断面の直径（Ｄ）と巻き付け回数とした。
【００７８】
炭素繊維シート試験片１は、７体とし、また、予め、炭素繊維シート１の物性を調べるために通常の連続繊維シートの引張試験を行った。
【００７９】
試験結果として、引張強度の平均値を、表１及び図７に示す。この試験結果から、直径が２０ｍｍの円形断面を持つ定着体に巻くことにより、炭素繊維シートが破断に至ることが確認された。又、定着体を用いた試験片は、定着体の径と、定着体への試験片の巻き数とが大きいほど強度がでることが分かった。
【００８０】
【表１】
0004813888.tif 000002
【００８１】
定着体２０の直径（Ｄ）が４０ｍｍ、６０ｍｍで、２周巻きの試験片では、公称引張強度（３４００Ｎ／ｍｍ2）を上回る。
【００８２】
破断位置は、いずれの試験体も定着体近傍の破断が主であった。巻き付け位置において繊維方向が変化するため、応力集中が定着体近傍で起こっていると考えられる。
【００８３】
定着体２０の直径（Ｄ）が大きいほど応力集中が小さくなるため、直径（Ｄ）が４０ｍｍ以上で且つ２周以上巻き付けることが好ましいと考えられる。
【００８４】
（試験２）
試験１とは異なる炭素繊維シート１を使用し、定着体２０の直径（Ｄ）としては、下記表２に示すように、４０ｍｍ、６０ｍｍのものを使用した以外は、試験１と同じ試験装置２００を使用し、同様の試験片を作製し、同様の方法にて、試験を行った。
【００８５】
この試験２で使用した炭素繊維シート１は、図１２に示す構成の、強化繊維として炭素繊維を一方向に引き揃えて作製された、日鉄コンポジット株式会社製の高強度型の炭素繊維シートＦＴＳ−Ｃ１−６０（公称引張強度３４００Ｎ／ｍｍ2）を用いた。炭素繊維シート１の幅（Ｗ０）は、試験１の場合と同様に、１２．５ｍｍであった。
【００８６】
試験結果として、引張強度の平均値を、表２及び図８に示す。この試験結果から、直径が２０ｍｍの円形断面を持つ定着体に巻くことにより、炭素繊維シートが破断に至ることが確認された。又、定着体を用いた試験片は、定着体の径と、定着体への試験片の巻き数とが大きいほど強度がでることが分かった。
【００８７】
【表２】
0004813888.tif 000003
【００８８】
定着体２０の直径（Ｄ）が４０ｍｍ、６０ｍｍで、２周巻きの試験片では、公称引張強度（３４００Ｎ／ｍｍ2）を上回る。
【００８９】
破断位置は、いずれの試験体も定着体近傍の破断が主であった。巻き付け位置において繊維方向が変化するため、応力集中が定着体近傍で起こっていると考えられる。
【００９０】
定着体２０の直径（Ｄ）が大きいほど応力集中が小さくなるため、直径（Ｄ）が４０ｍｍ以上で且つ２周以上巻き付けることが好ましいと考えられる。
【００９１】
上記実施例の説明では、図１（ａ）〜（ｅ）及び図２（ａ）〜（ｃ）に示すように、コンクリート梁１００のシート貼着面１０１には、内層の第１層目を形成する第１の強化繊維シート補強材１０ａ１と、その上に積層される外層の第２層目を形成する第２の強化繊維シート補強材１０ａ２とが貼着されるものとして説明したが、本発明はこれに限定されるものではない。
【００９２】
即ち、補強に使用する強化繊維シート補強材１０は、ｎ枚（ｎは２以上の整数であり、通常ｎは２〜１０）だけ積層することも可能である。
【００９３】
従って、本実施例の構造物の補強方法は、構造物の貼着面に細長形状の強化繊維シート補強材を複数枚樹脂で接着することにより構造物を補強する補強方法において、
（ａ）構造物１００の貼着面１０１に、ｎ枚（ｎ：２以上の整数）の強化繊維シート補強材１０を構造物１００の貼着面１０１から外側へと重ねて積層し、樹脂にて接着し、
（ｂ）各層の強化繊維シート補強材１０の長手方向両端部を各々、強化繊維シート補強材１０の長手方向に直交して配置された棒状定着体２０に巻き付け、樹脂で接着し、
（ｃ）棒状定着体２０は、構造物の貼着面に貼付した最内層の第１層目の強化繊維シートから最外層に貼付したｎ層目の強化繊維シートへと、順次内方に位置して構造物１００に固定具２２にて固着する、
構成に特徴を有している。
【００９４】
従って、本実施例によれば、鋼材料の使用を軽減し、軽量な構造にて強化繊維シート補強材の定着が可能とされ、従って、施工が容易である。
【００９５】
また、強化繊維シート補強材を分けて定着することにより、定着に用いる固定具、例えば、アンカーの位置を分散させ、アンカー削孔位置の自由度があり、施工が容易である。
【００９６】
更に、積層された複数枚の強化繊維シート補強材を使用し、曲げを受ける部材では、曲げモーメント分布に合わせて強化繊維シート補強材が必要でなくなった断面での１層毎或いは複数層毎のの定着を行うことができ、効率の良い補強を達成することができる。
【００９７】
実施例２
図９（ａ）、（ｂ）に、本発明の他の実施例を示す。
【００９８】
実施例１では、図２（ａ）、（ｂ）、（ｃ）に示すように、強化繊維シート補強材１０（１０ａ１、１０ａ２）が巻き付けられた定着体２０（２０ａ１、２０ａ２）は、円柱状定着体２０（２０ａ１、２０ａ２）の直径方向に形成された貫通穴２１（２１ａ１、２１ａ２）を利用して、アンカー２２（２２ａ、２２ｂ）によりコンクリート構造物１００に取り付けられた。
【００９９】
このような構成では、定着体２０に巻き付けられた強化繊維シート補強材１０（１０ａ１、１０ａ２）に欠損部分が生じる。
【０１００】
本実施例によれば、定着された強化繊維シート補強材１０（１０ａ１、１０ａ２）に欠損部分が生じない定着方法に特徴を有している。
【０１０１】
つまり、本実施例の補強方法は、図１に関連して実施例１で説明したと同様の構成とされる。従って、全体の補強方法については、実施例１の説明を援用し、再度の説明を省略する。以下、本実施例の特徴をなす強化繊維シート補強材の定着方法について説明する。
【０１０２】
本実施例によると、図９（ａ）、（ｂ）に示すように、定着体２０（２０ａ１、２０ａ２）には、実施例１と同様に、アンカー２２（２２ａ１、２２ａ２）を挿通するための貫通穴２１（２１ａ１、２１ａ２）が直径方向に形成されているが、この貫通穴２１（２１ａ１、２１ａ２）は、強化繊維シート補強材１０（１０ａ１、１０ａ２）が巻き付けられた領域ではない位置、即ち、定着体２０の軸線方向において、強化繊維シート補強材１０が巻き付けられた領域よりも軸線方向外方の位置に形成されている。
【０１０３】
従って、本実施例の定着方法によれば、定着体２０に巻き付けられた強化繊維シート補強材１０ａ１、１０ａ２に欠損部分は生じない。
【０１０４】
図９（ａ）、（ｂ）には、強化繊維シート補強材１０が２枚使用される態様を示すが、本実施例の原理は、実施例１の場合と同様に、ｎ枚（ｎは２以上の整数）とされる場合にも同様に適用される。
【０１０５】
本実施例の構造物の補強方法によれば、実施例１の場合と同様の作用効果を達成し得ると共に、強化繊維シート１の断面を欠損することがない。
【０１０６】
実施例３
図１０に、本発明の他の実施例を示す。
【０１０７】
実施例２では、図９（ｂ）に示すように、コンクリート梁１００の下面領域１０１の幅（Ｗｈ）が、貼付される強化繊維シート補強材１０の幅（Ｗ０）より大きく、梁１００の下面部１０１にアンカー２２のための削孔が可能な場合には、好適に採用し得る。
【０１０８】
本実施例は、図１０（ｂ）に示すように、コンクリート梁１００の下面領域１０１の幅（Ｗｈ）が、貼付される強化繊維シート補強材１０の幅（Ｗ０）と実質的に同じ大きさとされるか、或いは、梁１００の下面部１０１にアンカー２２のための削孔が極めて困難な場合に、好適に採用される。
【０１０９】
また、本実施例の補強方法は、図１に関連して実施例１で説明したと同様の構成とされる。従って、全体の補強方法については、実施例１の説明を援用し、再度の説明を省略する。以下、本実施例の特徴をなす強化繊維シート補強材の定着方法について説明する。
【０１１０】
つまり、本実施例によると、図１０（ａ）、（ｂ）に示すように、定着体２０（２０ａ１、２０ａ２）は、その軸線方向長さ（Ｌｘ）が、強化繊維シート補強材１０（１０ａ１、１０ａ２）の幅（Ｗ０）と実質的に同じか或いは若干長くされ、その両端面に一体に支持板２３（２３ａ１、２３ａ２）の一端が取り付けられている。支持板２３（２３ａ１、２３ａ２）は、他端がコンクリート梁１００の側面部２０２へと延在しており、また、支持板２３にはアンカー２２（２２ａ１、２２ａ２）を挿通させるための貫通穴（図示せず）が形成されている。
【０１１１】
従って、強化繊維シート補強材１０（１０ａ１、１０ａ２）の端部が巻き付けられた定着体２０（２０ａ１、２０ａ２）は、支持板２３（２３ａ１、２３ａ２）の貫通穴を利用して、アンカー２２（２２ａ１、２２ａ２）によりコンクリート構造物１００の側面部１０２に取り付けられる。
【０１１２】
従って、本実施例の定着方法によれば、実施例２の場合と同様に、定着体２０（２０ａ１、２０ａ２）に巻き付けられた強化繊維シート補強材１０（１０ａ１、１０ａ２）に欠損部分は生じない。
【０１１３】
図１０（ａ）、（ｂ）には、強化繊維シート補強材１０が２枚使用される態様を示すが、本実施例の原理は、実施例１、２の場合と同様に、ｎ枚（ｎは２以上の整数）とされる場合にも同様に適用される。
【０１１４】
本実施例の構造物の補強方法によれば、実施例１の場合と同様の作用効果を達成し得ると共に、強化繊維シートの断面を欠損することがなく、定着方法としてはより優れている。
【０１１５】
実施例４
図１１（ａ）、（ｂ）、（ｃ）に、本発明の構造物の補強方法の他の実施例を示す。本実施例では、例えば床版のように、実施例１などで説明した梁よりは、曲げ補強が必要な面積が大とされる構造物１００の曲げ補強をする場合に好適に適用される補強方法について説明する。
【０１１６】
先ず、図１１（ａ）を参照して説明すると、この実施例では、強化繊維シート補強材１０による接着工法を実施するに当たり、先ず、強化繊維シート１が１枚、或いは、複数枚積層されて構成される強化繊維シート補強材１０が複数枚、本実施例では、第１、第２、第３及び第４の強化繊維シート補強材１０ａ１、１０ｂ１、１０ｃ１、１０ｄ１の４枚が準備される。
【０１１７】
本実施例にて、各強化繊維シート補強材１０ａ１、１０ｂ１、１０ｃ１、１０ｄ１は、全てを同じものとすることもでき、また、特定の補強材は、同じ強化繊維を使用した異なる枚数の強化繊維シートにて構成することもできる。更には、必要に応じて、強化繊維シート補強材１０ａ１、１０ｂ１、１０ｃ１、１０ｄ１の特定のものは強化繊維自体が異なるもので構成することもできる。
【０１１８】
本実施例では、図１１（ａ）に示すように、コンクリート梁１００のシート貼着面１０１には、第１、第２、第３及び第４の強化繊維シート補強材１０ａ１、１０ｂ１、１０ｃ１、１０ｄ１が互いに平行に配置して、シート貼着面１０１に接着される。この工程は、実施例１にて、図１（ａ）〜（ｃ）を参照して説明した工程と同じである。
【０１１９】
つまり、準備された第１、第２、第３及び第４の強化繊維シート補強材１０ａ１、１０ｂ１、１０ｃ１、１０ｄ１を、接着剤が下塗りされたコンクリート床版シート貼着面１０１に貼り付ける。次いで、脱泡ローラを使用して脱泡・含浸させる。更に、必要に応じて、強化繊維シート補強材１０ａ１、１０ｂ１、１０ｃ１、１０ｄ１に接着剤、即ち、マトリクス樹脂を塗布（上塗り）し、強化繊維シート補強材１０ａ１、１０ｂ１、１０ｃ１、１０ｄ１にマトリクス樹脂を十分に含浸させ、第１、第２、第３及び第４の強化繊維シート補強材１０ａ１、１０ｂ１、１０ｃ１、１０ｄ１をコンクリート床版シート貼着面１０１に接着する。
【０１２０】
次に、実施例１にて、図１（ｃ）及び図２（ａ）、（ｂ）、（ｃ）を参照して説明したと同様にして、第１、第２、第３及び第４の強化繊維シート補強材１０ａ１、１０ｂ１、１０ｃ１、１０ｄ１の端部を第１、第２、第３及び第４の定着体２０ａ１、２０ｂ１、２０ｃ１、２０ｄ１に１回又は複数回巻き付ける。
【０１２１】
第１、第２、第３及び第４の強化繊維シート補強材１０ａ１、１０ｂ１、１０ｃ１、１０ｄ１は、既にマトリクス樹脂が含浸されており、従って、定着体周面に接着剤にて接着される。必要に応じて、更に定着体周面に接着剤を塗布しても良い。
【０１２２】
次に、第１、第２、第３及び第４の強化繊維シート補強材１０ａ１、１０ｂ１、１０ｃ１、１０ｄ１が巻き付けられた第１、第２、第３及び第４の定着体２０ａ１、２０ｂ１、２０ｃ１、２０ｄ１は、実施例１にて図２（ｃ）を参照して説明したと同様に、各円柱状定着体２０ａ１、２０ｂ１、２０ｃ１、２０ｄ１の直径方向に形成された貫通穴（図１１（ａ）には図示せず）を利用して、固定具、例えばアンカー２２ａ１、２２ｂ１、２２ｃ１、２２ｄ１によりコンクリート構造物１００に取り付けられる。このとき、定着体２０ａ１、２０ｂ１、２０ｃ１、２０ｄ１により、強化繊維シート補強材１０ａ１、１０ｂ１、１０ｃ１、１０ｄ１をコンクリート構造物表面１０１に圧着することは必須ではない。又、この状態で、樹脂が硬化されると、第１、第２、第３及び第４の強化繊維シート補強材１０ａ１、１０ｂ１、１０ｃ１、１０ｄ１がコンクリート構造物１００に定着されることとなる。
【０１２３】
定着体２０は、実施例１の場合と同様に、強化繊維シートを巻き付けられる構造であれば、任意の形状とすることができ、例えば、図３に示すように、隅角部が円弧状とされた、断面形状が３角形、正方形、長方形、楕円形、長円形などの柱状体或いは円筒体などを使用することができる。
【０１２４】
本実施例にて、互いに隣接する各強化繊維シート補強材１０ａ１、１０ｂ１、１０ｃ１、１０ｄ１の間には、間隙Ｇを設けても良く、また、密接して、即ち、間隙Ｇが略々ゼロとなるように、配置しても良い。
【０１２５】
図１１（ａ）には、強化繊維シート補強材１０が４枚使用される態様を示すが、本実施例の原理は、４枚に限定されるものではなく、ｎ枚（ｎ：２以上の整数）、通常ｎ＝２〜１０程度、とされる場合にも同様に適用される。
【０１２６】
以上説明したように、上記構成の本実施例の補給方法は、構造物１００の貼着面１０１に細長形状の強化繊維シート補強材１０を複数枚樹脂で接着することにより構造物を補強する補強方法において、
（ａ）構造物１００の貼着面１０１に、ｎ枚（ｎ：２以上の整数）の強化繊維シート補強材１０を、互いに隣接して且つ平行に樹脂にて接着し、
（ｂ）ｎ枚の強化繊維シート補強材１０の長手方向両端部を各々、強化繊維シート補強材１０の長手方向に直交して配置された棒状定着体２０に巻き付け、樹脂で接着し、
（ｃ）棒状定着体２０を前記構造物１００に固定具２２にて固着する、
構成に特徴を有している。
【０１２７】
図１１（ｂ）に、上記実施例の変更実施例を示す。
【０１２８】
この変更実施例では、上記実施例における第１、第２、第３及び第４の強化繊維シート補強材１０ａ１、１０ｂ１、１０ｃ１、１０ｄ１の少なくともいずれかの強化繊維シート補強材に対して、即ち、本実施例では、図１１（ｂ）に示すように、第１の強化繊維シート補強材１０ａ１に対して、実施例１と同様に、更に、他の強化繊維シート補強材１０ａ２を積層しても良い。勿論、上記第２、第３及び第４の強化繊維シート補強材１０ｂ１、１０ｃ１、１０ｄ１の全てに対して同じように他の強化繊維シート補強材１０を積層しても良い。
【０１２９】
また、積層される強化繊維シート補強材１０の積層枚数は、２枚に限定されるものではなく、実施例１で説明したように、ｎ枚（ｎ：２以上の整数）、通常ｎ＝２〜１０程度積層しても良い。
【０１３０】
更に、図１１（ｃ）に本実施例の変更実施例を示す。
【０１３１】
この変更実施例では、図１１（ａ）にて説明したと同様にして、上記第１、第２、第３、第４及び第５の強化繊維シート補強材１０ａ１、１０ｂ１、１０ｃ１、１０ｄ１、１０ｅ１が構造物１００の貼着面１０１に貼着され、定着体２０ａ１、２０ｂ１、２０ｃ１、２０ｄ１、２０ｅにて定着される。
【０１３２】
この第１、第２、第３、第４及び第５の強化繊維シート補強材１０ａ１、１０ｂ１、１０ｃ１、１０ｄ１、１０ｅ１に対して、直交するようにして、他のシート補強材１０ｆ１、１０ｇ１、１０ｈ１、１０ｉ１、１０ｊ１、１０ｋ１、１０ｌ１が積層される。積層枚数は５枚に限定されるものではなく、ｎ枚（ｎ：２以上の整数）、通常ｎ＝２〜１０程度、積層しても良い。
【０１３３】
つまり、上記変更実施例によれば、更に、上記本実施例にて説明した、上記工程（ａ）〜（ｃ）に記載する工程に加えて、更に、
（ｄ）構造物１００の貼着面１０１に接着されたｎ枚の強化繊維シート補強材１０に直交して少なくとも１枚の直交強化繊維シート補強材１０を貼付し、
（ｅ）直交強化繊維シート補強材１０の長手方向両端部を各々、前記直交強化繊維シート補強材１０の長手方向に直交して配置された棒状定着体２０に巻き付け、樹脂で接着し、
（ｆ）棒状定着体２０を前記構造物１００に固定具にて固着する、
構成に特徴を有している。
【０１３４】
又、上記実施例及び変更実施例では、図１１（ａ）、（ｂ）、（ｃ）に示すように、定着体２０には、実施例１と同様に、アンカー２２を挿通するための貫通穴２１が直径方向に形成されているが、この貫通穴２１は、実施例２で説明したように、強化繊維シート補強材１０が巻き付けられた領域ではない位置、即ち、定着体２０の軸線方向において、強化繊維シート補強材１０が巻き付けられた領域よりも軸線方向外方の位置に形成することもできる。
【０１３５】
本実施例及び変更実施例においても、実施例１、実施例２の場合と同様の作用効果を達成し得る。
【０１３６】
実施例５
上記実施例１〜４では、樹脂が未だ含浸されていない強化繊維シート１、即ち、強化繊維シート補強材１０を使用し、コンクリート構造物表面に貼着するに際して、樹脂を強化繊維シート補強材１０に含浸させ、コンクリート構造物表面１０１に接着するものとしたが、既に樹脂が含浸されたプリプレグの形態とされる強化繊維シート補強材１０を使用することもできる。
【０１３７】
つまり、予めマトリクス樹脂を含浸し、プリプレグの形態とされる樹脂含浸強化繊維シート補強材１０、即ち、プリプレグシートを接着剤にてコンクリート構造物などの貼着面１０１に接着することも可能である。
【０１３８】
本実施例においても、マトリクス樹脂は、実施例１で説明したと同様に、熱硬化性樹脂とすることができ、熱硬化性樹脂としては、常温硬化型或は熱硬化型のエポキシ樹脂、ビニールエステル樹脂、ＭＭＡ樹脂、不飽和ポリエステル樹脂、又はフェノール樹脂を好適に使用し得る。
【０１３９】
また、プリプレグ形態とされた樹脂含浸強化繊維シート補強材１０をコンクリート梁、床版などの表面１０１に接着する接着樹脂としてはマトリクス樹脂と同じ或いは同系の樹脂を使用することができる。
【０１４０】
プリプレグ形態とされた樹脂含浸強化繊維シート補強材１０の端部の定着方法は、実施例１、２で説明したと同じであるので、再度の説明は省略する。
【０１４１】
上記実施例１〜５では、コンクリート構造物の補強に関して説明したが、本発明は、鋼構造物の補強に際しても同様に適用することができ、同様の作用効果を達成し得る。
【図面の簡単な説明】
【０１４２】
【図１】本発明に従った構造物の補強方法の一実施例の工程を説明するための図である。
【図２】本発明に従った構造物の補強方法の一実施例を説明するための図である。
【図３】定着体の構成を示す断面図である。
【図４】本発明に従った構造物の補強方法の他の実施例を説明するための図である。
【図５】定着体の定着位置と曲げモーメントとの関係を説明する図である。
【図６】本発明に従った構造物の補強方法の効果を検討するための試験装置の概略構成図である。
【図７】定着体の直径と巻き数と、引張強度との関係を示すグラフである。
【図８】定着体の直径と巻き数と、引張強度との関係を示すグラフである。
【図９】本発明に従った構造物の補強方法の他の実施例を説明するための図である。
【図１０】本発明に従った構造物の補強方法の他の実施例を説明するための図である。
【図１１】本発明に従った構造物の補強方法の他の実施例を説明するための図である。
【図１２】本発明にて使用することのできる強化繊維シートの一実施例を示す斜視図である。
【図１３】本発明にて使用することのできる強化繊維シートの他の実施例を示す斜視図である。
【図１４】従来の構造物の補強方法における強化繊維シートの定着方法を説明するための図である。
【図１５】従来の構造物の補強方法における強化繊維シートの定着方法を説明するための図である。
【符号の説明】
【０１４３】
１            強化繊維シート
２            強化繊維
３            支持体
４            強化繊維層
５            バラケ止め繊維
１０          強化繊維シート補強材
２０          定着体
２１          定着体貫通穴
２２          アンカー（固定具）
２３          支持板
１００        構造物
１０１        構造物貼着面
１０２        構造物側面
【図１】
0004813888.tif 000004
【図２】
0004813888.tif 000005
【図３】
0004813888.tif 000006
【図４】
0004813888.tif 000007
【図５】
0004813888.tif 000008
【図６】
0004813888.tif 000009
【図７】
0004813888.tif 000010
【図８】
0004813888.tif 000011
【図９】
0004813888.tif 000012
【図１０】
0004813888.tif 000013
【図１１】
0004813888.tif 000014
【図１２】
0004813888.tif 000015
【図１３】
0004813888.tif 000016
【図１４】
0004813888.tif 000017
【図１５】
0004813888.tif 000018